(57)【要約】      （修正有）【課題】光ファイバを巻き付けるボビンに２つのコネクタを固定する際に、先に取り出すべきコネクタを判断しやすくさせて、作業性を向上させる。【解決手段】収納ケースは、本体１０と、本体１０に回転可能に収容され、光ファイバを巻き付けるボビンと、を備える。ボビンは、光ファイバの一端側に設けられたコネクタを固定する第１コネクタ固定部３５Ｂと、光ファイバの他端側に設けられたコネクタを固定する第２コネクタ固定部３５Ｃとを有する。第１コネクタ固定部３５Ｂに固定されるコネクタと第２コネクタ固定部３５Ｃに固定されるコネクタとが互いに異なる高さになるように、第１コネクタ固定部３５Ｂ及び第２コネクタ固定部３５Ｃが形成されている。【選択図】図６
2015025906.tif 000002
【特許請求の範囲】
【請求項１】
本体と、
前記本体に回転可能に収容され、光ファイバを巻き付けるボビンと、
を備え、
前記ボビンは、前記光ファイバの一端側に設けられたコネクタを固定する第１コネクタ固定部と、前記光ファイバの他端側に設けられたコネクタを固定する第２コネクタ固定部とを有し、
前記第１コネクタ固定部に固定される前記コネクタと前記第２コネクタ固定部に固定される前記コネクタとが互いに異なる高さになるように、前記第１コネクタ固定部及び前記第２コネクタ固定部が形成されている
ことを特徴とする収納ケース。
【請求項２】
請求項１に記載の収納ケースであって、
前記ボビンを上側から見たときに、前記第１コネクタ固定部に固定される前記コネクタと前記第２コネクタ固定部に固定される前記コネクタとが交差するように、前記第１コネクタ固定部及び前記第２コネクタ固定部が形成されている
ことを特徴とする収納ケース。
【請求項３】
請求項２に記載の収納ケースであって、
前記コネクタは、コネクタ本体と、コネクタ本体から延び出た可撓性を有する弾性変形部とを有し、
前記ボビンを上側から見たときに、前記第１コネクタ固定部に固定される前記コネクタの前記コネクタ本体と、前記第２コネクタ固定部に固定される前記コネクタの前記コネクタ本体とが重複せず、前記第１コネクタ固定部に固定される前記コネクタの前記弾性変形部と、前記第２コネクタ固定部に固定される前記コネクタの前記弾性変形部とが交差するように、前記第１コネクタ固定部及び前記第２コネクタ固定部が形成されている
ことを特徴とする収納ケース。
【請求項４】
請求項１〜３に記載の収納ケースであって、
前記第１コネクタ固定部に固定される前記コネクタと、前記第２コネクタ固定部に固定される前記コネクタとの間に配置されるシートを有する
ことを特徴とする収納ケース。
【請求項５】
請求項４に記載の収納ケースであって、
前記シートは、前記第１コネクタ固定部に固定される前記コネクタから延び出る前記光ファイバと、前記第２コネクタ固定部に固定される前記コネクタから延び出る前記光ファイバとを分離する
ことを特徴とする収納ケース。
【請求項６】
請求項１〜５のいずれかに記載の収納ケースであって、
前記光ファイバを巻き付ける前記ボビンの隔壁部の内側に、環状の内溝部が形成されている
ことを特徴とする収納ケース。
【請求項７】
請求項６に記載の収納ケースであって、
前記内溝部の内側に前記第１コネクタ固定部及び前記第２コネクタ固定部が形成されており、
前記隔壁部は、前記第１コネクタ固定部に固定される前記コネクタの端部を固定する第１コネクタ端固定部と、前記第２コネクタ固定部に固定される前記コネクタの端部を固定する第２コネクタ端固定部とを有する
ことを特徴とする収納ケース。
【請求項８】
請求項７に記載の収納ケースであって、
前記第２コネクタ固定部及び前記第２コネクタ端固定部は、前記第１コネクタ固定部及び前記第１コネクタ端固定部よりも浅く形成されており、
前記第２コネクタ固定部及び前記第２コネクタ端固定部は、前記内溝部よりも浅く形成されている
ことを特徴とする収納ケース。
【請求項９】
請求項１〜８に記載の収納ケースであって、
前記ボビンは、巻き付けられた前記光ファイバを支持する下側鍔部を有する
ことを特徴とする収納ケース。
【請求項１０】
請求項９に記載の収納ケースであって、
前記ボビンは、巻き付けられた前記光ファイバを前記下側鍔部との間に挟む上側鍔部を有する
ことを特徴とする収納ケース。
【請求項１１】
請求項１〜１０に記載の収納ケースであって、
前記本体と前記ボビンを覆う上蓋を更に有し、
前記上蓋は、前記ボビンの側に突出した第１凸部と第２凸部とを有し、
前記第１凸部は、前記第１コネクタ固定部に対向する位置に設けられており、
前記第２凸部は、前記第２コネクタ固定部に対向する位置に設けられている
ことを特徴とする収納ケース。
【発明の詳細な説明】
【技術分野】
【０００１】
本発明は、光ファイバの収納ケースに関する。
【背景技術】
【０００２】
光ファイバを収納する収納ケースとして、例えば特許文献１〜３に記載のケースが知られている。
【０００３】
特許文献１には、コードを支承収納する支承板と、支承板に対して回動する回動円板とを有する収納装置（収納ケース）が記載されている。特許文献１では、回動円板の外周部にコードを巻回収納している。
【０００４】
特許文献２には、インナーケースとアウターケースとを有し、アウターケースには、円環状の周回溝が形成されている。特許文献２では、アウターケースの円環状の周回溝に光ファイバを巻き付けて収納している。
【０００５】
特許文献３には、光ファイバと光スイッチを梱包するケースが記載されている。特許文献３では、回転可能な円柱状部材を回転させて、光ファイバの長さの異なる光スイッチを収納可能にしている。
【先行技術文献】
【特許文献】
【０００６】
【特許文献１】特開平０５−２０３８１６号公報
【特許文献２】特開２００１−１２２３３６号公報
【特許文献３】特開２００９−０５１５１２号公報
【発明の概要】
【発明が解決しようとする課題】
【０００７】
光ファイバを幾重にも巻き付けて収納した場合、先に巻き付けられた側の光ファイバを先に取り出そうとすると、光ファイバが絡み合ってしまい、光ファイバを損傷させるおそれがある。このため、光ファイバを幾重にも巻き付けて収納した場合、作業者は、どちらの端から光ファイバを取り出すべきかを判断する必要がある。光ファイバの両端にコネクタが取り付けられている場合には、作業者は、どちらのコネクタから先に取り出すべきかを判断する必要がある。
【０００８】
本発明は、光ファイバを巻き付けるボビンに２つのコネクタを固定する際に、先に取り出すべきコネクタを判断しやすくさせて、作業性を向上させることを目的とする。
【課題を解決するための手段】
【０００９】
上記目的を達成するための主たる発明は、本体と、前記本体に回転可能に収容され、光ファイバを巻き付けるボビンと、を備え、前記ボビンは、前記光ファイバの一端側に設けられたコネクタを固定する第１コネクタ固定部と、前記光ファイバの他端側に設けられたコネクタを固定する第２コネクタ固定部とを有し、前記第１コネクタ固定部に固定される前記コネクタと前記第２コネクタ固定部に固定される前記コネクタとが互いに異なる高さになるように、前記第１コネクタ固定部及び前記第２コネクタ固定部が形成されていることを特徴とする収納ケースである。
【００１０】
本発明の他の特徴については、後述する明細書及び図面の記載により明らかにする。
【発明の効果】
【００１１】
本発明によれば、先に取り出すべきコネクタを判断しやすくなり、作業性を向上させることができる。
【図面の簡単な説明】
【００１２】
【図１】図１Ａは、収納ケース１の全体斜視図である。図１Ｂは、収納ケース１の上蓋５０を開けた様子の斜視図である。
【図２】図２は、収納ケース１の分解斜視図である。
【図３】図３は、本体１０の斜視図である。
【図４】図４Ａは、ボビン３０を右上から見た斜視図である。図４Ｂは、ボビン３０から上鍔部材４０を取り外した状態の斜視図である。
【図５】図５Ａは、上鍔部材４０を外したボビン３０を右上から見た斜視図である。図５Ｂは、ボビン３０を右下から見た斜視図である。図５Ｃは、ボビン３０を右から見た側面図である。
【図６】図６は、ボビン３０を本体１０に収容した様子の斜視図である。
【図７】図７Ａは、上蓋５０を右上から見た斜視図である。図７Ｂは、上蓋５０を右下から見た斜視図である。
【図８】図８は、収納ケース１に光ファイバ３を収納する方法のフロー図である。
【図９Ａ】図９Ａは、ボビン３０の第１コネクタ固定部３５Ｂにコネクタ５を固定した状態の説明図である。
【図９Ｂ】図９Ｂは、光ファイバ３をボビン３０の内溝部３４に巻き付けて収納した状態の説明図である。
【図９Ｃ】図９Ｃは、ボビン３０を回転させて、ボビン３０に光ファイバ３を巻き付ける様子の説明図である。
【図９Ｄ】図９Ｄは、ファイバ用溝３３Ｃを介して隔壁部３３の外側から内側へ光ファイバ３を導いた状態の説明図である。
【図９Ｅ】図９Ｅは、ボビン３０の第２コネクタ固定部３５Ｃにコネクタ５を固定した状態の説明図である。
【図１０】図１０Ａは、第１コネクタ固定部３５Ｂを設けずに、内溝部３４にコネクタ５を収容した比較図である。図１０Ｂは、隔壁部３３に第１コネクタ端固定部３３Ｄを設けずに、隆起部３５の第１コネクタ固定部３５Ｂのみでコネクタ５を固定した比較図である。
【図１１】図１１は、４つの突起部（第１突起部３６Ａ〜第４突起部３６Ｄ）と凸部５３との位置関係の説明図である。
【図１２Ａ】図１２Ａは、コネクタ５が固定された様子を示すための断面斜視図である。図１２Ａは、第１コネクタ固定部３５Ｂに沿った断面を示している。
【図１２Ｂ】図１２Ｂは、コネクタ５が固定された様子を示すための断面斜視図である。図１２Ｂは、第２コネクタ固定部３５Ｃに沿った断面を示している。
【図１３】図１３Ａ及び図１３Ｂは、光ファイバ３（若しくはコネクタ５）の検査時の説明図である。
【図１４】図１４は、収納ケース１の光ファイバ３の敷設方法のフロー図である。
【図１５】図１５は、ボビン３０に上鍔部材４０を取り付けなかった場合の比較図である。
【図１６】図１６は、比較例の収納ケースの説明図である。
【図１７】図１７Ａは、第２実施形態の収納ケースの説明図である。図１７Ｂは、第２実施形態の収納ケースにコネクタ５を固定した様子の説明図である。
【発明を実施するための形態】
【００１３】
後述する明細書及び図面の記載から、少なくとも以下の事項が明らかとなる。
【００１４】
本体と、前記本体に回転可能に収容され、光ファイバを巻き付けるボビンと、を備え、前記ボビンは、前記光ファイバの一端側に設けられたコネクタを固定する第１コネクタ固定部と、前記光ファイバの他端側に設けられたコネクタを固定する第２コネクタ固定部とを有し、前記第１コネクタ固定部に固定される前記コネクタと前記第２コネクタ固定部に固定される前記コネクタとが互いに異なる高さになるように、前記第１コネクタ固定部及び前記第２コネクタ固定部が形成されていることを特徴とする収納ケースが明らかになる。  
このような収納ケースによれば、先に取り出すべきコネクタを判断しやすくなり、作業性を向上させることができる。
【００１５】
前記ボビンを上側から見たときに、前記第１コネクタ固定部に固定される前記コネクタと前記第２コネクタ固定部に固定される前記コネクタとが交差するように、前記第１コネクタ固定部及び前記第２コネクタ固定部が形成されていることが望ましい。これにより、２つのコネクタ５のどちらが上側に位置しているかを認識しやすいため、先に取り出すべきコネクタを判断しやすくなり、作業性を向上させることができる。また、２つのコネクタが交差する領域の面積分だけ第１コネクタ固定部及び第２コネクタ固定部の合計面積を減らすことができるため、収納ケースの小型化を図ることができる。
【００１６】
前記コネクタは、コネクタ本体と、コネクタ本体から延び出た可撓性を有する弾性変形部とを有し、前記ボビンを上側から見たときに、前記第１コネクタ固定部に固定される前記コネクタの前記コネクタ本体と、前記第２コネクタ固定部に固定される前記コネクタの前記コネクタ本体とが重複せず、前記第１コネクタ固定部に固定される前記コネクタの前記弾性変形部と、前記第２コネクタ固定部に固定される前記コネクタの前記弾性変形部とが交差するように、前記第１コネクタ固定部及び前記第２コネクタ固定部が形成されていることが望ましい。これにより、コネクタが損傷しにくくなる。また、２つのコネクタの弾性変形部が交差する領域の面積分だけ第１コネクタ固定部３５Ｂ及び第２コネクタ固定部３５Ｃの合計面積を減らすことができるため、収納ケース１の小型化を図ることができる。
【００１７】
前記第１コネクタ固定部に固定される前記コネクタと、前記第２コネクタ固定部に固定される前記コネクタとの間に配置されるシートを有することが望ましい。これにより、先に取り出すべきコネクタを判断しやすくなり、作業性を向上させることができる。
【００１８】
前記シートは、前記第１コネクタ固定部に固定される前記コネクタから延び出る前記光ファイバと、前記第２コネクタ固定部に固定される前記コネクタから延び出る前記光ファイバとを分離することが望ましい。これにより、光ファイバが絡み合わずに済む。
【００１９】
前記光ファイバを巻き付ける前記ボビンの隔壁部の内側に、環状の内溝部が形成されていることが望ましい。これにより、狭いスペースに効率よく光ファイバを収納できる。
【００２０】
前記内溝部の内側に前記第１コネクタ固定部及び前記第２コネクタ固定部が形成されており、前記隔壁部は、前記第１コネクタ固定部に固定される前記コネクタの端部を固定する第１コネクタ端固定部と、前記第２コネクタ固定部に固定される前記コネクタの端部を固定する第２コネクタ端固定部とを有することが望ましい。これにより、コネクタから延び出る光ファイバの曲率半径を十分確保できる。
【００２１】
前記第２コネクタ固定部及び前記第２コネクタ端固定部は、前記第１コネクタ固定部及び前記第１コネクタ端固定部よりも浅く形成されており、前記第２コネクタ固定部及び前記第２コネクタ端固定部は、前記内溝部よりも浅く形成されていることが望ましい。これにより、コネクタが第２コネクタ固定部及び第２コネクタ端固定部に固定されると、内溝部に収納された光ファイバが外れにくくなる。
【００２２】
前記ボビンは、巻き付けられた前記光ファイバを支持する下側鍔部を有することが望ましい。これにより、ボビンが回転しやすい構造になる。
【００２３】
前記ボビンは、巻き付けられた前記光ファイバを前記下側鍔部との間に挟む上側鍔部を有することが望ましい。これにより、ボビンに巻き付けられた光ファイバがボビンの上方を乗り越えてしまうことを防止できる。
【００２４】
前記本体と前記ボビンを覆う上蓋を更に有し、前記上蓋は、前記ボビンの側に突出した第１凸部と第２凸部とを有し、前記第１凸部は、前記第１コネクタ固定部に対向する位置に設けられており、前記第２凸部は、前記第２コネクタ固定部に対向する位置に設けられていることが望ましい。これにより、収納ケースの内部でのコネクタの脱落を防止できる。
【００２５】
＝＝＝第１実施形態＝＝＝
＜収納ケースの構成＞
図１Ａは、収納ケース１の全体斜視図である。図１Ｂは、収納ケース１の上蓋５０を開けた様子の斜視図である。図２は、収納ケース１の分解斜視図である。
【００２６】
以下の説明では、図示するように、各方向を定義する。すなわち、収納ケース１を載置したときの載置面に垂直な方向を「上下方向」とし、上蓋５０の側を「上」とし、本体１０側を「下」とする。つまり、本体１０を基準としたときに、上蓋５０の側が「上」となり、逆側が「下」となる。また、収納ケース１から光ファイバ３を引き出すときの光ファイバ３の方向を「前後方向」とし、光ファイバ３を引き出す側を「前」、逆側を「後」とする。また、上下方向及び前後方向に垂直な方向を「左右方向」とし、前から見たときの方向に従って「右」と「左」を定義する。
【００２７】
収納ケース１は、光ファイバ３を収納するためのケースである。光ファイバ３の両端には、光電変換素子（発光素子又は受光素子）を内蔵したコネクタ５（光モジュール）が設けられている。但し、光電変換素子を有しないコネクタが設けられても良い。ここでは、光ファイバ３の長さは数十メートルから百メートル程度を想定している。但し、この長さに限定されるものではなく、これより長くても短くても良い。
【００２８】
収納ケース１は、本体１０と、ボビン３０と、上蓋５０とを備えている。本体１０に対してボビン３０は回転可能であり、これにより、ボビン３０を回転させつつ、ボビン３０に光ファイバ３を巻き取らせたり、ボビン３０から光ファイバ３を引き出したりすることができる。また、本体１０とボビン３０の上から上蓋５０が覆いかぶせられており、光ファイバ３が塵埃などから保護される。
【００２９】
また、収納ケース１は、分離シート７０を更に備えている。分離シート７０は、ボビン３０の内側に配置されるシート状の部材である。但し、収納ケース１は、分離シート７０を備えていなくても良い。
【００３０】
収納ケース１を構成する本体１０及び上蓋５０は、それぞれ、プラスチックによって一体成型加工（真空成型加工）されている。ここでは、材料にＰＥＴ（ポリエチレンテレフタラート）を採用しているが、他にもＰＣ（ポリカーボネート）、ＰＶＣ（ポリ塩化ビニル）、透明ＰＳ（ポリスチレン）、色つきのＰＳ（ポリスチレン）、ＰＰ（ポリプロピレン）などを用いることも可能である。透明な材料によって本体１０及び上蓋５０を構成すれば、外部から中身を確認できるので便利である。
【００３１】
・本体１０
図３は、本体１０の斜視図である。本体１０は、収納ケース１のベースとなる部材であり、ボビン３０を回転可能に収容する部材である。本体１０は、ボビン収容部１１と、縁部１３とを有する。
【００３２】
ボビン収容部１１は、ボビン３０を回転可能に収容するための部位であり、本体１０の中央部に形成された凹所である。
【００３３】
ボビン収容部１１の中央には、軸支持部１１Ａが形成されている。軸支持部１１Ａは、ボビン３０の下方に設けられた回転軸３１を支持する部位である。軸支持部１１Ａは、ボビン収容部１１の底面１１Ｂから上側に突出した円筒形状の部位であり、円筒形状の軸支持部１１Ａにボビン３０の回転軸３１が嵌合することになる。
【００３４】
ボビン収容部１１の底面１１Ｂには、凸状接点１１Ｃが複数形成されている。凸状接点１１Ｃは、ボビン３０の下面（詳しくは、ボビン３０の鍔部３２の下面）との接触面積を減らすための突起である。ボビン３０との接触面積を減らすことによって、ボビン３０の回転が滑らかになる。凸状接点１１Ｃは、ボビン３０を支えるために少なくとも３個必要であるが、ここでは安定性を考慮して８個形成されている。
【００３５】
縁部１３は、ボビン収容部１１を囲む部位である。縁部１３の内側には、ボビン３０を囲い込むような円筒状の内周面１３Ａが形成されている。縁部１３の外側には、四方に外周面１３Ｂが形成されている。上から見ると内周面１３Ａが円形状であり外周面１３Ｂが矩形状であり、四隅にスペースができる。前側の二隅にはファイバ通過溝１３Ｄが形成されている。
【００３６】
ファイバ通過溝１３Ｄは、本体１０の内側と外側との間で光ファイバ３を導くための溝であり、光ファイバ３の収納時又は敷設時に光ファイバ３が通過する溝である。ファイバ通過溝１３Ｄは、内周面１３Ａの接線方向となる前後方向に沿って形成されている。
【００３７】
・ボビン３０
図４Ａは、ボビン３０を右上から見た斜視図である。図４Ｂは、ボビン３０から上鍔部材４０を取り外した状態の斜視図である。
【００３８】
ボビン３０は、本体１０のボビン収容部１１に収容され、光ファイバ３を巻き付けるための部材（回転体）である。上鍔部材４０は、ボビン３０の上側に接着固定される板状の部材であり、ボビン３０に巻き付けた光ファイバ３を鍔部３２（下側鍔部）との間に挟むことによって、巻き付けた光ファイバ３が上側から外れることを防止する部材（上側鍔部）である。図４Ｂのハッチングは、上鍔部材４０を接着する接着剤の塗布領域を示している。上鍔部材４０は、第１上鍔部材４１及び第２上鍔部材４２を有し、第１上鍔部材４１と第２上鍔部材４２との間には隙間が空いている。
【００３９】
図５Ａは、上鍔部材４０を外したボビン３０を右上から見た斜視図である。図５Ｂは、ボビン３０を右下から見た斜視図である。図５Ｃは、ボビン３０を右から見た側面図である。図６は、ボビン３０を本体１０に収容した様子の斜視図である。
【００４０】
ボビン３０は、回転軸３１と、鍔部３２と、隔壁部３３と、内溝部３４と、隆起部３５とを有する。
【００４１】
回転軸３１は、ボビン３０の回転中心となる軸であり、ボビン３０の中央に形成されている。回転軸３１は、本体１０の方へ向かって、ボビン３０の下側に形成されている。回転軸３１は、本体１０の軸支持部１１Ａに嵌合し、ボビン３０が本体１０に対して回転可能に支持される。回転軸３１が本体１０の軸支持部１１Ａに嵌合することによって、ボビン３０の回転軸３１の位置が安定し、ボビン３０に光ファイバ３を巻き付けやすくなり、また、ボビン３０から光ファイバ３を引き出しやすくなる。
【００４２】
鍔部３２は、ボビン３０に巻き付けられる光ファイバ３を下から支持する部位（下側鍔部）である。鍔部３２は、回転軸３１を中心とする円盤状の部位であり、隔壁部３３の下縁から外側に形成されている。円盤状の鍔部３２の上面は、ボビン３０（詳しくは隔壁部３３の外壁面３３Ａ）に巻き付けられた光ファイバ３を支持することになる。ボビン３０に巻き付けられた光ファイバ３を鍔部３２が下から支持することによって、ボビン３０を回転させてボビン３０に光ファイバ３を巻き付ける作業が容易になる。
【００４３】
鍔部３２の下面は、本体１０のボビン収容部１１の底面１１Ｂと対向することになる。ボビン収容部１１の底面１１Ｂに凸状接点１１Ｃが形成されているため、鍔部３２の下面は、凸状接点１１Ｃと接触している。なお、本体１０のボビン収容部１１に凸状接点１１Ｃを形成する代わりに、ボビン３０の鍔部３２の下面に凸状接点（下側に向かって凸となるボビン側の突起）を形成することによって、本体１０とボビン３０との接触面積を減らしても良い。
【００４４】
鍔部３２の上面は、上鍔部材４０の下面と対向している。鍔部３２と上鍔部材４０との間に挟まれるようにして、光ファイバ３がボビン３０に巻き付けられることになる。
【００４５】
隔壁部３３は、外側に巻き付けられる光ファイバ３と内側に収納される光ファイバ３とを隔てる部位である。隔壁部３３は、回転軸３１を中心とする円筒形状の部位であり、隔壁部３３の外壁面３３Ａには、光ファイバ３が巻き付けられる。このため、円筒形状の外壁面３３Ａの半径は、光ファイバ３に許容される曲率半径（許容曲率半径）よりも大きい。隔壁部３３は、鍔部３２と内溝部３４との間に配置されている。隔壁部３３の上面は、上鍔部材４０を接着するための接着面になっている（図４Ｂのハッチング参照）。上鍔部材４０は、隔壁部３３の上縁から外側に張り出すように隔壁部３３の上面に接着固定されている。
【００４６】
隔壁部３３には、２つのファイバ用溝３３Ｃと、第１コネクタ端固定部３３Ｄと、第２コネクタ端固定部３３Ｅとが形成されている。
【００４７】
ファイバ用溝３３Ｃは、隔壁部３３の内側と外側との間で光ファイバ３を導くための溝である。ファイバ用溝３３Ｃの上側には、第１上鍔部材４１と第２上鍔部材４２との隙間が形成されている。
【００４８】
第１コネクタ端固定部３３Ｄ及び第２コネクタ端固定部３３Ｅは、コネクタ５の端部を固定するための窪みであり、隔壁部３３の内側に形成されている。第１コネクタ端固定部３３Ｄは、内溝部３４と同じ深さに形成されている。第２コネクタ端固定部３３Ｅは、内溝部３４よりも浅く形成されている。これにより、第１コネクタ端固定部３３Ｄに収容されるコネクタ５の高さと、第２コネクタ端固定部３３Ｅに収容されるコネクタ５の高さとを異ならせることができる。
【００４９】
内溝部３４は、隔壁部３３の内側で光ファイバ３を収納するため部位である。内溝部３４は、回転軸３１を中心とする環状の溝であり、隔壁部３３の内側に形成されている。内溝部３４には、収納ケース１に収納される１００ｍ程度の光ファイバ３の一端側の２〜３ｍ程度の光ファイバ３が巻き付けられるとともに、他端側の２〜３ｍ程度の光ファイバ３が巻き付けられることになる（後述）。環状の内溝部３４の半径は、光ファイバ３の許容曲率半径よりも大きい。内溝部３４に光ファイバ３を収納することによって、隔壁部３３の外壁面３３Ａに光ファイバ３が巻き付けられた状態であっても、内溝部３４に収納した光ファイバ３（及びその終端のコネクタ５）を引き出すことが可能になる。
【００５０】
なお、内溝部３４の底面は、鍔部３２よりも上側に形成されている。つまり、内溝部３４は、鍔部３２の上面よりも浅く形成された溝である。これにより、内溝部３４に光ファイバ３を収納しやすくなるとともに、内溝部３４に収納された光ファイバ３を取り出しやすくなる。
【００５１】
隆起部３５は、内溝部３４の内側に形成された部位である。隆起部３５は、回転軸３１を中心とする円柱状の部位である。隆起部３５の外周面３５Ａと隔壁部３３の内壁面３３Ｂとの間に、内溝部３４があり、光ファイバ３が収納されることになる。隆起部３５の外周面３５Ａの半径は、光ファイバ３の許容曲率半径よりも大きい。
【００５２】
隆起部３５の中心部には十字状に溝（窪み）が形成されており、一方の溝が第１コネクタ固定部３５Ｂとなり、他方の溝が第２コネクタ固定部３５Ｃとなる。第１コネクタ固定部３５Ｂ及び第２コネクタ固定部３５Ｃは、コネクタ５を固定するための溝（窪み）である。第１コネクタ固定部３５Ｂ及び第２コネクタ固定部３５Ｃは、コネクタ本体だけでなく、コネクタ本体から延び出たブーツやプルタブをも収容できるように形成されている。なお、ブーツは、光ファイバ３を保護する部位であり、可撓性を有する弾性変形部である。プルタブは、コネクタ５をソケット（不図示）から引き出すための部位であり、可撓性を有する弾性変形部である。
【００５３】
第１コネクタ固定部３５Ｂは、ボビン３０の回転軸３１よりも後側でコネクタ５のコネクタ本体を収容するとともに、ボビン３０の回転軸３１よりも前側でコネクタ５の弾性変形部（ブーツ、プルタブ）を収容する。また、第２コネクタ固定部３５Ｃは、ボビン３０の回転軸３１よりも左側でコネクタ５のコネクタ本体を収容するとともに、ボビン３０の回転軸３１よりも右側でコネクタ５の弾性変形部（ブーツ、プルタブ）を収容する。このため、ボビン３０を上側から見たときに、第１コネクタ固定部３５Ｂに固定されるコネクタ５のコネクタ本体と、第２コネクタ固定部３５Ｃに固定されるコネクタ５のコネクタ本体とは重複せず、コネクタ５の弾性変形部（ブーツやプルタブ）同士が回転軸３１上で交差することになる（図１２Ａ及び図１２Ｂ参照）。
【００５４】
第１コネクタ固定部３５Ｂは、第１コネクタ端固定部３３Ｄと同様に、内溝部３４と同じ深さに形成されている。第１コネクタ固定部３５Ｂの延長線上に隔壁部３３の第１コネクタ端固定部３３Ｄが位置しており、第１コネクタ固定部３５Ｂ及び第１コネクタ端固定部３３Ｄは、同じ深さに形成されている。第１コネクタ固定部３５Ｂに収容されるコネクタ５の端部が、第１コネクタ端固定部３３Ｄに固定されることになる。  
第２コネクタ固定部３５Ｃは、第２コネクタ端固定部３３Ｅと同様に、内溝部３４よりも浅く形成されている。第２コネクタ固定部３５Ｃの延長線上に隔壁部３３の第２コネクタ端固定部３３Ｅが位置しており、第２コネクタ固定部３５Ｃ及び第２コネクタ端固定部３３Ｅは、同じ深さに形成されている。第２コネクタ固定部３５Ｃに収容されるコネクタ５の端部が、第２コネクタ端固定部３３Ｅに固定されることになる。  
したがって、第１コネクタ固定部３５Ｂと第２コネクタ固定部３５Ｃは、異なる高さに形成されている。言い換えると、第１コネクタ固定部３５Ｂを構成する溝と、第２コネクタ固定部３５Ｃを構成する溝は、異なる深さに形成されている。ここでは、第１コネクタ固定部３５Ｂは、第２コネクタ固定部３５Ｃよりも低い位置に形成されている。これにより、第２コネクタ固定部３５Ｃに固定されるコネクタ５は、第１コネクタ固定部３５Ｂに固定されるコネクタ５よりも上側に位置することになる。
【００５５】
隆起部３５は、上蓋５０の側に突出した４つの突起部から構成されている。４つの突起部のうち、左後側の突起部３６Ａ（第１コネクタ端固定部３３Ｄ及び第２コネクタ端固定部３３Ｅのいずれにも近傍した突起部）を「第１突起部３６Ａ」と呼ぶ。残りの３つの突起部は、第１突起部３６Ａから時計回りの順に従い、「第２突起部３６Ｂ」、「第３突起部３６Ｃ」及び「第４突起部３６Ｄ」と呼ぶことがある。つまり、第２突起部３６Ｂは右後側の突起部であり、第３突起部３６Ｃは右前側の突起部であり、第４突起部３６Ｄは左前側の突起部である。
【００５６】
左側の突起部（第１突起部３６Ａ及び第４突起部３６Ｄ）と右側の２つの突起部（第２突起部３６Ｂ及び第３突起部３６Ｃ）との間に第１コネクタ固定部３５Ｂが構成されることになる。言い換えると、第１コネクタ固定部３５Ｂは、第１突起部３６Ａと第２突起部３６Ｂとの間に形成されるとともに、第４突起部３６Ｄと第３突起部３６Ｃとの間に形成されている。  
また、前側の突起部（第１突起部３６Ａ及び第２突起部３６Ｂ）と後側の突起部（第３突起部３６Ｃ及び第４突起部３６Ｄ）との間に第２コネクタ固定部３５Ｃが構成されることになる。言い換えると、第２コネクタ固定部３５Ｃは、第１突起部３６Ａと第４突起部３６Ｄとの間に形成されるとともに、第２突起部３６Ｂと第３突起部３６Ｃとの間に形成されている。
【００５７】
第４突起部３６Ｄ（第１コネクタ端固定部３３Ｄとは反対側の突起部）の第１コネクタ固定部３５Ｂ寄りの外周面３５Ａには、第１案内面３５Ｄが形成されている。第１案内面３５Ｄは、第１コネクタ固定部３５Ｂに収容されたコネクタ５から延び出る光ファイバ３を内溝部３４に案内する案内面（曲面）である。同様に、第２突起部３６Ｂ（第２コネクタ端固定部３３Ｅとは反対側の突起部）の第２コネクタ固定部３５Ｃ寄りの外周面３５Ａには、第２案内面３５Ｅが形成されている。第２案内面３５Ｅは、第２コネクタ固定部３５Ｃに収容されたコネクタ５から延び出る光ファイバ３を内溝部３４に案内する案内面（曲面）である。第１案内面３５Ｄ及び第２案内面３５Ｅの曲面の半径は、光ファイバ３の許容曲率半径よりも大きい。
【００５８】
・上蓋５０
図７Ａは、上蓋５０を右上から見た斜視図である。図７Ｂは、上蓋５０を右下から見た斜視図である。
【００５９】
上蓋５０は、本体１０及びボビン３０を上から覆いかぶせるための蓋である。上蓋５０は、収納ケース１に収納された光ファイバ３を塵埃などから保護するカバーとしての機能を有する。
【００６０】
上蓋５０の中央部には、４つの凹部５３が形成されている。凹部５３は、上蓋５０の下から見ると上面５１から下側に突出している。このように、凹部５３の裏側は、ボビン３０に向かって突出した凸部になっているため、「凹部５３」のことを「凸部５３」と呼ぶこともある。収納ケース１の保管時に、凸部５３がボビン３０の中心部の十字状の溝（第１コネクタ固定部３５Ｂ及び第２コネクタ固定部３５Ｃ）の上側に位置する。以下の説明では、第１コネクタ固定部３５Ｂの上側に位置する凸部５３のことを「第１凸部５３Ａ」と呼び、第２コネクタ固定部３５Ｃの上側に位置する凸部５３のことを「第２凸部５３Ｂ」と呼ぶことがある。
【００６１】
上蓋５０の凸部５３（詳しくは、第１凸部５３Ａの側面）がボビン３０の隆起部３５を構成する突起部（特に第１突起部３６Ａ及び第２突起部３６Ｂ）の側面に接触することによって、ボビン３０の回転が防止される。つまり、凸部５３（凹部５３）は、ボビン３０の回転を防止する機能を有する。また、収納ケース１の保管時に、凸部５３は、ボビン３０に固定されたコネクタ５の脱落を防止する機能を有する。凸部５３（凹部５３）のこれらの機能については、後述する。
【００６２】
第１凸部５３Ａは、第２凸部５３Ｂよりも下側に大きく突出している。これは、第１コネクタ固定部３５Ｂが第２コネクタ固定部３５Ｃよりも深く形成されているためである。
【００６３】
・分離シート７０
図２には、分離シート７０が示されている。分離シート７０は、ボビン３０の内側に配置されるシート状の部材である。分離シート７０は、環状部７１と十字部７２とを有する。
【００６４】
環状部７１は、環状の部位であり、ボビン３０の内溝部３４に配置される部位である。ボビン３０の内側に光ファイバ３の一端側を巻き付けて収納した後、ボビン３０の内側に光ファイバ３の他端側を巻き付けて収納する際に、環状部７１は、光ファイバ３の一端側と他端側とを上下に分離することになる。
【００６５】
十字部７２は、環状部７１よりも内側の十字状の部位であり、ボビン３０の中心部の十字状の溝（第１コネクタ固定部３５Ｂ及び第２コネクタ固定部３５Ｃ）に配置される部位である。十字部７２は、２つのコネクタ５の間に配置され、２つのコネクタ５を上下に分離することになる。
【００６６】
＜光ファイバ収納方法＞
図８は、収納ケース１に光ファイバ３を収納する方法のフロー図である。図９Ａ〜図９Ｅは、収納ケース１の状態の説明図である。
【００６７】
まず、作業者は、図６に示すように、本体１０のボビン収容部１１にボビン３０を収容する（Ｓ００１）。このとき、作業者は、本体１０の軸支持部１１Ａにボビン３０の回転軸３１を嵌合させて、本体１０に対して回転可能にボビン３０を収容する。この段階では、上蓋５０は、本体１０及びボビン３０から外された状態である。
【００６８】
次に、作業者は、図９Ａに示すように、ボビン３０の第１コネクタ端固定部３３Ｄと第１コネクタ固定部３５Ｂにコネクタ５を固定する（Ｓ００２）。第１コネクタ端固定部３３Ｄは隔壁部３３に形成されており、第１コネクタ固定部３５Ｂは隆起部３５に形成されているため、コネクタ５が第１コネクタ端固定部３３Ｄ及び第１コネクタ固定部３５Ｂに固定されると、コネクタ５は、内溝部３４を跨ぐように配置される。
【００６９】
図１０Ａは、第１コネクタ固定部３５Ｂ（若しくは第２コネクタ固定部３５Ｃ）を設けずに、内溝部３４にコネクタ５を収容した比較図である。図に示すように、コネクタ５が短くなければコネクタ５を収容できないため、収容可能なコネクタ５の形状・寸法の制約が大きくなる。また、コネクタ５から延び出る光ファイバ３（若しくはブーツやプルタブ）が隔壁部３３によって曲げられてしまい、損傷しやすい。  
また、図１０Ｂは、隔壁部３３に第１コネクタ端固定部３３Ｄを設けずに、隆起部３５の第１コネクタ固定部３５Ｂ（若しくは第２コネクタ固定部３５Ｃ）のみでコネクタ５を固定した比較図である。図に示すように、コネクタ５の寸法が長くなると、コネクタ５から延び出る光ファイバ３が隔壁部３３によって曲げられてしまい、損傷しやすい。  
これに対し、本実施形態では、コネクタ５が内溝部３４を跨ぐように配置されるので、図１０Ａ及び図１０Ｂの比較図と比べて、コネクタ５の寸法が長くなっても、コネクタ５から延び出る光ファイバ３の曲率半径を十分確保できる。
【００７０】
次に、作業者は、図９Ｂに示すように、２〜３ｍ程度の光ファイバ３をボビン３０の内溝部３４に緩やかに巻き付けて収納する（Ｓ００３）。このとき、作業者は、第１コネクタ固定部３５Ｂに収容されたコネクタ５から延び出る光ファイバ３を、第１案内面３５Ｄによって隆起部３５の外周面３５Ａに案内しつつ、ボビン３０の内溝部３４に巻き付ける。作業者は、後で引き出す必要のある長さの光ファイバ３を、ボビン３０の内溝部３４に巻き付けて収納する。内溝部３４が環状に形成されているため、内溝部３４に光ファイバ３を巻き回して収納できるので、狭いスペースに効率よく光ファイバ３を収納できる。
【００７１】
次に、作業者は、ボビン３０の内溝部３４に光ファイバ３を収納した後、図９Ｂに示すように、ファイバ用溝３３Ｃを介して、隔壁部３３の内側から外側へ光ファイバ３を導く（Ｓ００４）。これにより、次に作業者がボビン３０を回転させたときに、光ファイバ３が隔壁部３３の外壁面３３Ａに巻き付けられることになる。
【００７２】
次に、作業者は、図９Ｃに示すように、ボビン３０を回転させて、ボビン３０に光ファイバ３を巻き付ける（Ｓ００５）。作業者は、ボビン３０の隆起部３５を手でつかみ、ここでは上から見て反時計回りにボビン３０を回転させる。ボビン３０を回転させると、ファイバ用溝３３Ｃによって隔壁部３３の外側に導かれた光ファイバ３が、隔壁部３３の外壁面３３Ａに沿って巻き付けられる。
【００７３】
外壁面３３Ａに巻き付けられた光ファイバ３は、鍔部３２によって下から支持されている。これにより、既に巻き付けられた光ファイバ３とともにボビン３０を回転させることが容易になり、ボビン３０に光ファイバ３を巻き付ける作業が容易になる。仮にボビン３０に鍔部３２が無いと、ボビン３０に巻き付けられた光ファイバ３が本体１０の底面１１Ｂに引きずられながらボビン３０を回転させるため、ボビン３０を回転させ難くなり、光ファイバ３をボビン３０に巻き付ける作業に負荷がかかる。
【００７４】
また、外壁面３３Ａに巻き付けられた光ファイバ３は、上鍔部材４０によって上から覆われている。これにより、ボビン３０に幾重にも巻き回された光ファイバ３が、ボビン３０の上方を乗り越えて外れてしまうことを防止できる。
【００７５】
なお、作業者は、ボビン３０を回転させ始めたときに、本体１０の縁部１３のファイバ通過溝１３Ｄに光ファイバ３を配置させる。これにより、光ファイバ３がファイバ通過溝１３Ｄを通りながらボビン３０に巻き付けられるため、光ファイバ３の捩れが抑制される。
【００７６】
次に、作業者は、分離シート７０をボビン３０に配置する（Ｓ００６）。これにより、Ｓ００２で固定されたコネクタ５の上に、分離シート７０の十字部７２が配置される。また、Ｓ００３で内溝部３４に収納された光ファイバの上に、分離シート７０の環状部７１が配置される。なお、分離シート７０をボビン３０に配置する処理は、Ｓ００３の処理後であればよいので、Ｓ００５の処理前に行っても良い。
【００７７】
次に、作業者は、図９Ｄに示すように、ファイバ用溝３３Ｃを介して、隔壁部３３の外側から内側へ光ファイバ３を導く（Ｓ００７）。隔壁部３３の内側へ光ファイバ３を導くファイバ用溝３３Ｃは、Ｓ００４で隔壁部３３の外側へ光ファイバ３を導いたファイバ用溝３３Ｃとは別の方である。
【００７８】
次に、作業者は、残りの光ファイバ３をボビン３０の内溝部３４に緩やかに巻き付けて収納する（Ｓ００８）。このとき、Ｓ００６でボビン３０に分離シート７０が配置されているので、残りの光ファイバ３は、分離シート７０の環状部７１の上に収納される。このため、分離シート７０によって、Ｓ００３で収納された一端側の光ファイバ３と、Ｓ００８で収納された他端側の光ファイバ３とが上下に分離されることになる。
【００７９】
次に、作業者は、光ファイバ３をボビン３０に巻き付け終えたら、図９Ｅに示すように、ボビン３０の第２コネクタ端固定部３３Ｅと第２コネクタ固定部３５Ｃにコネクタ５を固定する（Ｓ００９）。このとき、作業者は、第２案内面３５Ｅによって、コネクタ５から延び出る光ファイバ３を、隆起部３５の外周面３５Ａから第２コネクタ固定部３５Ｃに案内する。本実施形態では、第２コネクタ固定部３５Ｃが第１コネクタ固定部３５Ｂよりも浅く形成されているため、第２コネクタ固定部３５Ｃに固定されたコネクタ５は、第１コネクタ固定部３５Ｂに固定されたコネクタ５よりも上側に位置する。
【００８０】
このとき、第２コネクタ端固定部３３Ｅは隔壁部３３に形成されており、第２コネクタ固定部３５Ｃは隆起部３５に形成されているため、コネクタ５が第２コネクタ端固定部３３Ｅ及び第２コネクタ固定部３５Ｃに固定されると、コネクタ５は、内溝部３４を跨ぐように配置される。加えて、第２コネクタ端固定部３３Ｅ及び第２コネクタ固定部３５Ｃは、内溝部３４よりも浅く形成されているため、コネクタ５は、内溝部３４に収納した光ファイバ３（第１コネクタ固定部３５Ｂに固定されたコネクタ５から延び出る光ファイバ３）の上を跨ぐように配置される（図１２Ｂも参照）。これにより、コネクタ５が第２コネクタ端固定部３３Ｅ及び第２コネクタ固定部３５Ｃに固定されると、内溝部３４に収納された光ファイバ３が外れにくくなる。
【００８１】
最後に、作業者は、本体１０とボビン３０の上から上蓋５０を覆いかぶせて（Ｓ０１０）、光ファイバ３の収納作業を完了する。収納ケース１は、上蓋５０を覆いかぶせた状態で保管される。
【００８２】
＜収納ケースの保管時について＞
・回転防止機構
収納ケース１の運搬時には、収納ケース１に振動が加わり、ボビン３０が動きやすくなる。特に、ボビン３０は、鍔部３２を有するため、光ファイバ３とともに回転しやすい構造になっている。加えて、ボビン収容部１１に凸状接点１１Ｃが形成されており、ボビン３０が更に回転しやすい構造になっている。しかし、収納ケース１の保管時に収納ケース１の内部でボビン３０が回転してしまうと、光ファイバ３を損傷させるおそれがある。このため、収納ケース１には、ボビン３０の回転を防止するための回転防止機構が設けられている。
【００８３】
図１１は、隆起部３５を構成する４つの突起部（第１突起部３６Ａ〜第４突起部３６Ｄ）と凸部５３（凹部５３）との位置関係の説明図である。図１１の太線はボビン３０の突起部の配置を示し、細線は上蓋５０の凸部５３の配置を示している。
【００８４】
回転防止機構は、ボビン３０の隆起部３５を構成する第１突起部３６Ａ及び第２突起部３６Ｂと、上蓋５０の後側の第１凸部５３Ａとによって、構成されている。ボビン３０の第１突起部３６Ａ及び第２突起部３６Ｂは、上蓋５０の側に突出して形成されており、上蓋５０の第１凸部５３Ａはボビン３０の側に突出して形成されている。そして、本体１０とボビン３０の上から上蓋５０を覆いかぶせると、上蓋５０の第１凸部５３Ａの少なくとも一部が、第１突起部３６Ａと第２突起部３６Ｂとの間に挟まれる。つまり、ボビン３０が回転したときに第１突起部３６Ａ及び第２突起部３６Ｂと第１凸部５３Ａとが接触する位置になるように、第１突起部３６Ａ及び第２突起部３６Ｂと第１凸部５３Ａとが形成されている。これにより、ボビン３０の回転が防止される。
【００８５】
図１１には、ボビン３０の回転軸３１からの距離をＲとして、ボビン３０の第１突起部３６Ａと上蓋５０の第１凸部５３Ａの配置が示されている。ボビン３０の第１突起部３６Ａが存在する範囲は、Ｒａ１＜Ｒ＜Ｒａ２である。ここで、Ｒａ１は、回転軸３１に最も近い第１突起部３６Ａの部位までの距離である。Ｒａ２は、回転軸３１から最も遠い第１突起部３６Ａの部位までの距離である。上蓋５０の第１凸部５３Ａが存在する範囲は、Ｒｂ１＜Ｒ＜Ｒｂ２である。ここで、Ｒｂ１は、回転軸３１に最も近い第１凸部５３Ａの部位までの距離である。Ｒｂ２は、回転軸３１から最も遠い第１凸部５３Ａの部位までの距離である。
【００８６】
ボビン３０が回転したときに第１突起部３６Ａと第１凸部５３Ａとが接触する条件は、ボビン３０の第１突起部３６Ａが存在する範囲（Ｒａ１＜Ｒ＜Ｒａ２）と、上蓋５０の第１凸部５３Ａが存在する範囲（Ｒｂ１＜Ｒ＜Ｒｂ２）の少なくとも一部が重複することである。つまり、ボビン３０が回転したときに第１突起部３６Ａと第１凸部５３Ａとが接触する条件は、Ｒａ１＜Ｒｂ１＜Ｒａ２とＲａ１＜Ｒｂ２＜Ｒａ２の少なくとも一方を満たすこと（若しくは、Ｒｂ１＜Ｒａ１＜Ｒｂ２とＲｂ１＜Ｒａ２＜Ｒｂ２の少なくとも一方を満たすこと）である。この条件が満たされると、第１突起部３６Ａと第１凸部５３Ａとが接触するため、ボビン３０の回転が防止される。なお、第２突起部３６Ｂと第１凸部５３Ａとが接触する条件は、第１突起部３６Ａの場合と同様である。
【００８７】
ボビン３０に第１突起部３６Ａ及び第２突起部３６Ｂが形成されており、この２つの突起部が、ボビン３０の回転方向から第１凸部５３Ａを挟んでいる。これにより、上から見てボビン３０が時計方向及び反時計方向のいずれの方向に回転しても、直ちにボビン３０の第１突起部３６Ａ又は第２突起部３６Ｂが第１凸部５３Ａと接触するため、ボビン３０の回転が防止される。
【００８８】
なお、上蓋５０の第２凸部５３Ｂをボビン３０の第１突起部３６Ａと第４突起部３６Ｄとの間に挟むことによって、ボビン３０の回転を防止することも可能である。また、ボビン３０の回転方向からボビン３０の第１突起部３６Ａを上蓋５０の第１凸部５３Ａと第２凸部５３Ｂとの間に挟むことによって、ボビン３０の回転を防止することも可能である。但し、第２凸部５３Ｂは第１凸部５３Ａよりも突出量が小さいため、第２凸部５３Ｂを用いた場合よりも、第１凸部５３Ａをボビン３０の２つの突起部で挟む方が有利である。本実施形態では、第１凸部５３Ａを第１突起部３６Ａと第２突起部３６Ｂとの間に挟む構成を採用しつつ、第２凸部５３Ｂも、第１突起部３６Ａと第４突起部３６Ｄとの間に挟んでいる。これにより、ボビン３０の回転が更に抑制される。
【００８９】
・コネクタの脱落防止
収納ケース１の運搬時には、収納ケース１に振動が加わり、ボビン３０が動きやすくなる。しかし、収納ケース１の内部でボビン３０に固定したコネクタ５が外れてしまうと、光ファイバ３を損傷させるおそれがある。このため、収納ケース１には、コネクタ５の脱落を防止するための機構が設けられている。
【００９０】
図１２Ａ及び図１２Ｂは、コネクタ５が固定された様子を示すための断面斜視図である。図１２Ａは、第１コネクタ固定部３５Ｂに沿った断面を示している。図１２Ｂは、第２コネクタ固定部３５Ｃに沿った断面を示している。
【００９１】
図１２Ａに示すように、ボビン３０の第１コネクタ固定部３５Ｂに固定されたコネクタ５は、ボビン３０の第１コネクタ固定部３５Ｂと上蓋５０の第１凸部５３Ａとの間で固定されている。これにより、第１コネクタ固定部３５Ｂに固定されたコネクタ５は、第１凸部５３Ａによって上から押さえられ、この結果、収納ケース１の内部でのコネクタ５の脱落を防止できる。
【００９２】
図１２Ｂに示すように、ボビン３０の第２コネクタ固定部３５Ｃに固定されたコネクタ５は、ボビン３０の第２コネクタ固定部３５Ｃと上蓋５０の第２凸部５３Ｂとの間で固定されている。これにより、第２コネクタ固定部３５Ｃに固定されたコネクタ５は、第２凸部５３Ｂによって上から押さえられ、この結果、収納ケース１の内部でのコネクタ５の脱落を防止できる。
【００９３】
本実施形態では、第１コネクタ固定部３５Ｂのコネクタ５は、第２コネクタ固定部３５Ｃのコネクタ５よりも、下側に配置されている。このため、仮に上蓋５０の第１凸部５３Ａが第２凸部５３Ｂと同程度の突出量だとすると、第１コネクタ固定部３５Ｂのコネクタ５が外れやすくなってしまう。逆に、仮に上蓋５０の第２凸部５３Ｂが第１凸部５３Ａと同程度の突出量だとすると、第２凸部５３Ｂが第２コネクタ固定部３５Ｃのコネクタ５と干渉してしまう。これに対し、本実施形態では、上蓋５０の第１凸部５３Ａ第２凸部５３Ｂの突出量を異ならせており、第１凸部５３Ａが第２凸部５３Ｂよりも下側に大きく突出している。これにより、異なる高さに収容された２つのコネクタ５のそれぞれの脱落を防止できる。
【００９４】
・検査
図１３Ａ及び図１３Ｂは、光ファイバ３（若しくはコネクタ５）の検査時の説明図である。
【００９５】
まず、図１３Ａに示すように、作業者は、第２コネクタ固定部３５Ｃに固定されたコネクタ５と、分離シート７０の上で内溝部３４に巻き付けられた光ファイバ３（第２コネクタ固定部３５Ｃのコネクタ５側の光ファイバ３）をボビン３０から取り出す。
【００９６】
本実施形態では、第２コネクタ固定部３５Ｃに固定されたコネクタ５は、第１コネクタ固定部３５Ｂに固定されたコネクタ５よりも上側に位置するため、第２コネクタ固定部３５Ｃのコネクタ５よりも先に第１コネクタ固定部３５Ｂのコネクタ５を取り出すことが難しい構造になっている。加えて、本実施形態では、第１コネクタ固定部３５Ｂのコネクタ５が分離シート７０の下側に位置するため、第１コネクタ固定部３５Ｂのコネクタ５を先に取り出すことが難しい構造になっている。したがって、作業者は、ボビン３０の隔壁部３３の内側に固定された２つのコネクタ５のどちらを先に取り出すべきかを、判断しやすい。
【００９７】
また、本実施形態では、分離シート７０によって、光ファイバ３の一端側と他端側とが上下に分離されている。このため、第２コネクタ固定部３５Ｃのコネクタ５とともに光ファイバ３が一緒に取り出されるときに、逆側の端部の光ファイバ３（分離シート７０の下側に収納されている光ファイバ３）と絡み合わずに済む。
【００９８】
次に、図１３Ｂに示すように、作業者は、第１コネクタ固定部３５Ｂに固定されたコネクタ５と、内溝部３４に巻き付けられた光ファイバ３（第１コネクタ固定部３５Ｂのコネクタ５側の光ファイバ３）を取り出す。そして、作業者は、収納ケース１から取り出した２つのコネクタ５を用いて、所定の検査を行うことになる。
【００９９】
本実施形態では、第１コネクタ固定部３５Ｂのコネクタ５側の２〜３ｍ程度の光ファイバ３が隔壁部３３の内側（詳しくは内溝部３４）に収納されている。これにより、残りの大部分の光ファイバ３が隔壁部３３の外壁面３３Ａに巻き付けられた状態であっても、第１コネクタ固定部３５Ｂのコネクタ５とともに光ファイバ３を引き出すことができる。このため、光ファイバ３やコネクタ５の検査などが容易になる。仮に隔壁部３３の内側に光ファイバ３を収納せずに第１コネクタ固定部３５Ｂにコネクタ５を固定してしまうと、外壁面３３Ａに幾重にも光ファイバ３が巻き回されているため、第１コネクタ固定部３５Ｂに固定したコネクタ５を取り出すことが困難になる。
【０１００】
＜ファイバ敷設方法＞
図１４は、収納ケース１の光ファイバ３の敷設方法のフロー図である。
【０１０１】
まず、作業者は、本体１０とボビン３０から上蓋５０を外す（Ｓ１０１）。このときの収容ケース１の状態は、図９Ｅと同様である。上蓋５０を外すことにより、上蓋５０の第１凸部５３Ａがボビン３０の第１突起部３６Ａ及び第２突起部３６Ｂと接触しなくなり、ボビン３０が回転可能になる（回転防止機能が解除される）。
【０１０２】
図９Ｅに示すように、本実施形態では、第２コネクタ固定部３５Ｃに固定されたコネクタ５は、第１コネクタ固定部３５Ｂに固定されたコネクタ５よりも上側に位置するため、第２コネクタ固定部３５Ｃのコネクタ５よりも先に第１コネクタ固定部３５Ｂのコネクタ５を先に取り出すことが難しい構造になっている。加えて、本実施形態では、第１コネクタ固定部３５Ｂのコネクタ５が分離シート７０の下側に位置するため、第１コネクタ固定部３５Ｂのコネクタ５を先に取り出すことが難しい構造になっている。したがって、図９Ｅに示すように、作業者は、ボビン３０の隔壁部３３の内側に固定された２つのコネクタ５のどちらを先に取り出すべきかを、判断しやすい。
【０１０３】
次に、作業者は、第２コネクタ固定部３５Ｃに固定されたコネクタ５と、分離シート７０の上で内溝部３４に巻き付けられた光ファイバ３（第２コネクタ固定部３５Ｃのコネクタ５側の光ファイバ３）をボビン３０から取り出す（Ｓ１０２）。このときの収容ケース１の状態は、図９Ｄや図１３Ａと同様である。
【０１０４】
本実施形態では、分離シート７０によって、光ファイバ３の一端側と他端側とが上下に分離されている。このため、第２コネクタ固定部３５Ｃのコネクタ５とともに光ファイバ３が一緒に取り出されるときに、逆側の端部の光ファイバ３（分離シート７０の下側に収納されている光ファイバ３）と絡み合わずに済む。
【０１０５】
作業者は、Ｓ１０２の作業のときに、次の作業のために、図９Ｃに示すように、コネクタ５とともに引き出された光ファイバ３を、本体１０のファイバ通過溝１３Ｄに配置させる。
【０１０６】
次に、作業者は、ボビン３０の外壁面３３Ａから光ファイバ３を引き出す（Ｓ１０３）。作業者が、本体１０のファイバ通過溝１３Ｄから前側に延び出る光ファイバ３を前側へ引くと、ボビン３０の外壁面３３Ａに巻き付けられた光ファイバ３が引き出され、ボビン３０が上から見て時計回りに回転する。このときのボビン３０の回転方向や光ファイバ３の引き出し方向は、図９Ｃに示す矢印の方向とは逆方向である。
【０１０７】
ボビン３０の隔壁部３３の外壁面３３Ａには幾重にも光ファイバ３が巻き回されており、この状態で光ファイバ３が引き出されることになる。このとき、ボビン３０の外壁面３３Ａに巻き付けられた光ファイバ３を上鍔部材４０（第１上鍔部材４１及び第２上鍔部材４２）が上から抑えているため、光ファイバ３がボビン３０の上方を乗り越えて引き出されることが防止され、光ファイバ３の捩れを防止できる。
【０１０８】
図１５は、ボビン３０に上鍔部材４０を取り付けなかった場合の比較図である。ボビン３０の隔壁部３３の外壁面３３Ａには幾重にも光ファイバ３が巻き回されており、この状態で光ファイバ３が引き出されると、図に示すように、光ファイバ３がボビン３０の上方を乗り越えてしまうことがある。この結果、光ファイバ３が捩れた状態で引き出されてしまい、光ファイバ３を損傷させるおそれがある。
【０１０９】
ボビン３０の外壁面３３Ａから光ファイバ３を引き出した後（Ｓ１０３の後）、作業者は、分離シート７０をボビン３０から取り出す（Ｓ１０４）。なお、分離シート７０をボビン３０から取り出す処理は、Ｓ１０３の処理前に行っても良い。但し、Ｓ１０３の後に分離シート７０をボビン３０から取り出した方が、Ｓ１０３の作業中にボビン３０の内側のコネクタ５や光ファイバ３が外れにくいので、望ましい。
【０１１０】
最後に、作業者は、第１コネクタ固定部３５Ｂに固定されたコネクタ５と、内溝部３４に巻き付けられた光ファイバ３（第１コネクタ固定部３５Ｂのコネクタ５側の光ファイバ３）をボビン３０から取り出す（Ｓ１０５）。
【０１１１】
＜比較例＞
図１６は、比較例の収納ケースの説明図である。比較例では、ボビン３０の２つのコネクタ固定部が左右対称に構成されており、２つのコネクタ固定部は、同じ高さに形成されている。  
このような比較例では、作業者は、２つのコネクタのどちらを先に取り出すべきかを判断しにくいため、作業性が低下してしまう。また、仮に、後に取り出すべきコネクタを作業者が先に取り出してしまうと、光ファイバが絡み合ってしまい、光ファイバを損傷させるおそれがある。  
なお、図１６に示す比較例のようにコネクタを固定するためには、２つ目のコネクタ５を固定する際に、先に固定したコネクタ５を一旦取り外した上で、隔壁部３３の内側へ導いた光ファイバ３（２つ目のコネクタ５から延び出る光ファイバ３）を内溝部３４に収納し、その後に両方のコネクタ５をそれぞれのコネクタ固定部に固定する必要がある。このため、図１６に示す比較例では、先に固定したコネクタ５を一旦取り外す作業が必要になる。これに対し、前述の第１実施形態では、先に固定したコネクタ５を取り外すことなく、２つ目のコネクタ５を第２コネクタ固定部３５Ｃに固定することができるため、便利である。
【０１１２】
＜小括＞
第１実施形態の収納ケース１は、本体１０及びボビン３０を備えている。ボビン３０は、本体１０に回転可能に収容され、隔壁部３３を有している。隔壁部３３の外壁面３３Ａには、光ファイバが巻き付けられることになる。ボビン３０の隔壁部３３の内側には、第１コネクタ固定部３５Ｂ及び第２コネクタ固定部３５Ｃが形成されている。そして、第１コネクタ固定部３５Ｂ及び第２コネクタ固定部３５Ｃは、固定されるコネクタ５が互いに異なる高さになるように、形成されている。これにより、第１コネクタ固定部３５Ｂに固定されたコネクタ５と、第２コネクタ固定部３５Ｃに固定されたコネクタ５が異なる高さになるため、作業者は２つのコネクタ５のどちらを先に取り出すべきかを判断しやすくなり、作業性が向上する。
【０１１３】
また、第１実施形態では、ボビン３０を上側から見たときに、２つのコネクタ５が交差するように、第１コネクタ固定部３５Ｂ及び第２コネクタ固定部３５Ｃが形成されている。これにより、仮に分離シート７０が無くても、２つのコネクタ５のどちらが上側に位置しているかを認識しやすいため、作業者は２つのコネクタ５のどちらを先に取り出すべきかを判断しやすくなり、作業性が向上する。また、２つのコネクタ５が交差する領域の面積分だけ第１コネクタ固定部３５Ｂ及び第２コネクタ固定部３５Ｃの合計面積を減らすことができるため、収納ケース１の小型化を図ることができる。
【０１１４】
また、第１実施形態では、第１コネクタ固定部３５Ｂに固定されるコネクタ５のコネクタ本体と、第２コネクタ固定部３５Ｃに固定されるコネクタ５のコネクタ本体とは重複せず、コネクタ５の弾性変形部（ブーツやプルタブ）同士が交差するように、第１コネクタ固定部３５Ｂ及び第２コネクタ固定部３５Ｃが形成されている（図１２Ａ及び図１２Ｂ参照）。これにより、仮に収納ケース１が上下方向から衝撃を受けても、コネクタ５のコネクタ本体同士がぶつからないため、コネクタ５が損傷しにくい。また、２つのコネクタ５の弾性変形部が交差する領域の面積分だけ第１コネクタ固定部３５Ｂ及び第２コネクタ固定部３５Ｃの合計面積を減らすことができるため、収納ケース１の小型化を図ることができる。
【０１１５】
また、第１実施形態では、第１コネクタ固定部３５Ｂに固定されるコネクタ５と、第２コネクタ固定部３５Ｃに固定されるコネクタ５との間に分離シート７０が配置されている（図９Ｅ参照）。これにより、作業者は２つのコネクタ５のどちらを先に取り出すべきかを判断しやすくなり、作業性が向上する。
【０１１６】
また、第１実施形態では、分離シート７０によって、光ファイバ３の一端側（第１コネクタ固定部３５Ｂに固定されたコネクタ５から延び出る光ファイバ３）と他端側（第２コネクタ固定部３５Ｃに固定されたコネクタ５から延び出る光ファイバ３）とが上下に分離されている。このため、第２コネクタ固定部３５Ｃのコネクタ５とともに光ファイバ３が一緒に取り出されるときに（図１４のＳ１０２参照）、分離シート７０の下側に収納されている光ファイバ３と絡み合わずに済む。
【０１１７】
また、第１実施形態では、隔壁部３３の内側に環状の内溝部３４が形成されている（図４Ａ参照）。これにより、内溝部３４に光ファイバ３を巻き回して収納できるので、狭いスペースに効率よく光ファイバ３を収納できる（図９Ｂ及び９Ｅ参照）。
【０１１８】
また、第１実施形態では、内溝部３４の内側の隆起部３５に第１コネクタ固定部３５Ｂ及び第２コネクタ固定部３５Ｃが形成されているとともに、隔壁部３３には、コネクタ５の端部を固定する第１コネクタ端固定部３３Ｄ及び第２コネクタ端固定部３３Ｅが形成されている（図５Ａ参照）。これにより、図１０Ａ及び図１０Ｂの比較図と比べて、コネクタ５の寸法が長くなっても、コネクタ５から延び出る光ファイバ３の曲率半径を十分確保できる。
【０１１９】
また、第１実施形態では、第２コネクタ端固定部３３Ｅ及び第２コネクタ固定部３５Ｃは、内溝部３４よりも浅く形成されている。これにより、コネクタ５が第２コネクタ端固定部３３Ｅ及び第２コネクタ固定部３５Ｃに固定されると、内溝部３４に収納された光ファイバ３が外れにくくなる（図１２Ｂ参照）。
【０１２０】
また、第１実施形態のボビン３０は、外壁面３３Ａに巻き付けられた光ファイバ３を支持する鍔部３２（下側鍔部）を有するため、ボビン３０が回転しやすい構造になり、作業者の負荷が軽減される。更に、ボビン３０は、外壁面３３Ａに巻き付けられた光ファイバ３を鍔部３２との間に挟む上鍔部材４０（上側鍔部）を有するため、図１５に示すように光ファイバ３がボビン３０の上方を乗り越えてしまうことを防止できる。
【０１２１】
また、第１実施形態の上蓋５０は、ボビン３０の側に突出した第１凸部５３Ａ及び第２凸部５３Ｂを有している。第１凸部５３Ａは第１コネクタ固定部３５Ｂに対向する位置に設けられており、第２凸部５３Ｂは第２コネクタ固定部３５Ｃに対向する位置に設けられている。これにより、ボビン３０の第１コネクタ固定部３５Ｂに固定されたコネクタ５は、ボビン３０の第１コネクタ固定部３５Ｂと上蓋５０の第１凸部５３Ａとの間で固定される（図１２Ａ参照）。また、ボビン３０の第２コネクタ固定部３５Ｃに固定されたコネクタ５は、ボビン３０の第２コネクタ固定部３５Ｃと上蓋５０の第２凸部５３Ｂとの間で固定される（図１２Ｂ参照）。この結果、収納ケース１の内部でのコネクタ５の脱落を防止できる。
【０１２２】
＝＝＝第２実施形態＝＝＝
図１７Ａは、第２実施形態の収納ケースの説明図である。図１７Ｂは、第２実施形態の収納ケースにコネクタ５を固定した様子の説明図である。第２実施形態の収納ケースには、ボビン３０に内溝部３４が構成されていない。
【０１２３】
第２実施形態においても、ボビン３０の隔壁部３３の内側には、第１コネクタ固定部３５Ｂ及び第２コネクタ固定部３５Ｃが形成されている。そして、第１コネクタ固定部３５Ｂ及び第２コネクタ固定部３５Ｃは、固定されるコネクタ５が互いに異なる高さになるように、形成されている。ここでは、第１コネクタ固定部３５Ｂは、第２コネクタ固定部３５Ｃよりも低い位置に形成されている。これにより、第２コネクタ固定部３５Ｃに固定されるコネクタ５は、第１コネクタ固定部３５Ｂに固定されるコネクタ５よりも上側に位置することになる。これにより、第１コネクタ固定部３５Ｂに固定されたコネクタ５と、第２コネクタ固定部３５Ｃに固定されたコネクタ５が異なる高さになるため、作業者は２つのコネクタ５のどちらを先に取り出すべきかを判断しやすくなり、作業性が向上する。
【０１２４】
また、第２実施形態においても、ボビン３０を上側から見たときに、２つのコネクタ５が交差するように、第１コネクタ固定部３５Ｂ及び第２コネクタ固定部３５Ｃが形成されている。これにより、２つのコネクタ５のどちらが上側に位置しているかが認識されやすいため、作業者は２つのコネクタ５のどちらを先に取り出すべきかを判断しやすくなり、作業性が向上する。また、２つのコネクタ５が交差する領域の面積分だけ第１コネクタ固定部３５Ｂ及び第２コネクタ固定部３５Ｃの合計面積を減らすことができるため、収納ケース１の小型化を図ることができる。
【０１２５】
また、第２実施形態においても、第１コネクタ固定部３５Ｂに固定されるコネクタ５のコネクタ本体と、第２コネクタ固定部３５Ｃに固定されるコネクタ５のコネクタ本体とは重複せず、コネクタ５の弾性変形部（ブーツやプルタブ）同士が交差するように、第１コネクタ固定部３５Ｂ及び第２コネクタ固定部３５Ｃが形成されている（図１７Ｂ参照）。これにより、仮に収納ケース１が上下方向から衝撃を受けても、コネクタ５のコネクタ本体同士がぶつからないため、コネクタ５が損傷しにくい。また、２つのコネクタ５の弾性変形部が交差する領域の面積分だけ第１コネクタ固定部３５Ｂ及び第２コネクタ固定部３５Ｃの合計面積を減らすことができるため、収納ケース１の小型化を図ることができる。
【０１２６】
一方、第２実施形態では、隔壁部３３の内側に内溝部３４が無いため、第１コネクタ固定部３５Ｂに固定されたコネクタ５から延び出る光ファイバを隔壁部３３の内側に収納することができない。このため、第１実施形態の図１３Ｂのように、隔壁部３３の外壁面３３Ａに光ファイバ３が巻き付けられた状態で第１コネクタ固定部３５Ｂのコネクタ５をボビン３０から取り出すことは、第２実施形態では困難になる。
【０１２７】
＝＝＝その他＝＝＝
上記の実施形態は、主に収納ケースについて記載されているが、その記載の中には、光ファイバの収納方法、保管方法及び敷設方法、並びに、収納ケースの製造方法及び使用方法などの開示が含まれていることは言うまでもない。
【０１２８】
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１２９】
＜収納ケースについて＞
前述の収納ケースは、上から見て本体１０及び上蓋５０が四角形状に形成されていたため、上から見て四角形状であった。但し、収納ケースは、このような形状に限られるものではない。例えば、収納ケースは、上から見て円形状であっても良い。
【０１３０】
＜光ファイバについて＞
前述の収納ケースは、光ファイバを収納していたが、光ファイバを含む光コードや光ケーブルを収納しても良い。また、収納ケースは、光ファイバとメタルケーブルとの複合ケーブルを収納しても良い。また、収納ケースに収容される光ファイバは、単心でも多心でも良い。
【０１３１】
＜コネクタについて＞
前述のコネクタは、光電変換素子（発光素子又は受光素子）を内蔵した光モジュールであり、光信号を電気信号に変換してから電気信号線同士を接続するコネクタであった。但し、このようなコネクタに限られるものではなく、例えば、光ファイバ同士を光接続させるコネクタ（光コネクタ）であっても良い。
【０１３２】
＜隔壁部について＞
前述の隔壁部は、円筒形状であったが、この形状に限られるものではない。光ファイバを収納したときに光ファイバの許容曲率半径を維持できる形状であれば、隔壁部は、他の形状でも良く、例えば楕円筒状や多角筒状でも良い。
【０１３３】
＜コネクタ固定部について＞
前述の第１コネクタ固定部３５Ｂと第２コネクタ固定部３５Ｃは、上から見ると直交するように配置されていた。但し、第１コネクタ固定部３５Ｂと第２コネクタ固定部３５Ｃが別の角度で交差していても良い。また、第１コネクタ固定部３５Ｂと第２コネクタ固定部３５Ｃが、上から見て交差していなくても良い。
【符号の説明】
【０１３４】
１  収納ケース、３  光ファイバ、５  コネクタ、
１０  本体、１１  ボビン収容部、
１１Ａ  軸支持部、１１Ｂ  底面、１１Ｃ  凸状接点、
１３  縁部、１３Ａ  内周面、
１３Ｂ  外周面、１３Ｄ  ファイバ通過溝、
３０  ボビン、３１  回転軸、
３２  鍔部（下側鍔部）、３３  隔壁部、
３３Ａ  外壁面、３３Ｂ  内壁面、３３Ｃ  ファイバ用溝、
３３Ｄ  第１コネクタ端固定部、３３Ｅ  第２コネクタ端固定部、
３４  内溝部、３５  隆起部、３５Ａ  外周面、
３５Ｂ  第１コネクタ固定部、３５Ｃ  第２コネクタ固定部、
３５Ｄ  第１案内面、３５Ｅ  第２案内面
３６Ａ  第１突起部、３６Ｂ  第２突起部、
３６Ｃ  第３突起部、３６Ｄ  第４突起部、
４０  上鍔部材（上側鍔部）、４１  第１上鍔部材、４２  第２上鍔部材、
５０  上蓋、５１  上面、
５３  凹部（凸部）、５３Ａ  第１凸部、５３Ｂ  第２凸部、
７０  分離シート、７１  環状部、７２  十字部
【図１】
2015025906.tif 000003
【図２】
2015025906.tif 000004
【図３】
2015025906.tif 000005
【図４】
2015025906.tif 000006
【図５】
2015025906.tif 000007
【図６】
2015025906.tif 000008
【図７】
2015025906.tif 000009
【図８】
2015025906.tif 000010
【図９Ａ】
2015025906.tif 000011
【図９Ｂ】
2015025906.tif 000012
【図９Ｃ】
2015025906.tif 000013
【図９Ｄ】
2015025906.tif 000014
【図９Ｅ】
2015025906.tif 000015
【図１０】
2015025906.tif 000016
【図１１】
2015025906.tif 000017
【図１２Ａ】
2015025906.tif 000018
【図１２Ｂ】
2015025906.tif 000019
【図１３】
2015025906.tif 000020
【図１４】
2015025906.tif 000021
【図１５】
2015025906.tif 000022
【図１６】
2015025906.tif 000023
【図１７】
2015025906.tif 000024